【事件の表示】
　特願２００８−２３７６９号「弾球遊技機のスルーチャッカー」拒絶査定不服審判事件〔平成２１年８月２０日出願公開、特開２００９−１８３３４４号〕について、次のとおり審決する。
【結　論】
　本件審判の請求は、成り立たない。
【理　由】
第１　手続の経緯の概要
　本件に係る出願（以下「本願」という。）は、平成２０年２月４日の出願であって、平成２５年４月３０日付けで拒絶査定がなされ（発送日：同年５月７日）、これに対し、同年７月２６日に拒絶査定不服審判の請求がなされるとともに、その審判の請求と同時に手続補正がなされたものである。
　
第２　平成２５年７月２６日付け手続補正についての補正却下の決定
［補正却下の決定の結論］
　平成２５年７月２６日付け手続補正（以下「本件補正」という。）を却下する。
　
［理由］
　１　本件補正発明
　本件補正は、特許請求の範囲の請求項１について、平成２４年１０月１８日付け手続補正書に「遊技球が打ち込まれる遊技盤の表面に取り付けられる保持部材と、前記保持部材に保持されると共に、前記遊技盤に打ち込まれる遊技球の通過を検出するセンサとを備えた弾球遊技機のスルーチャッカーにおいて、
　前記保持部材は、前記遊技盤の表面に締結部材により固定されるベース部と、前記ベース部の前面から突出し、かつ前記センサにおける遊技球通過用ゲートの周辺を包囲する包囲部と、前記ベース部の裏面から後方へ向けて突出し、前記センサの左右両側面を抱え込むように保持する左右の保持部を有し、
　前記左右いずれか一方の保持部は、左右方向へ弾性変形可能で、かつ後端に、前記センサの後端面の一部に係合し、前記センサの後方への抜け止めを行なう鈎部を有する弾性片部を含み、
　前記左右いずれか他方の保持部は、前記センサにおける一側面側の上、下角部を抱持する縦断面ほぼコ字型をなすとともに、後端に前記センサの後端面の一部に係合する鈎部を有しない形状であって、かつ後端部が前記コ字型のまま前記センサの後端面よりも突出することを特徴とする弾球遊技機のスルーチャッカー。」とあったものを
「遊技球が打ち込まれる遊技盤の表面に取り付けられる保持部材と、前記保持部材に保持されると共に、前記遊技盤に打ち込まれる遊技球の通過を検出するセンサとを備えた弾球遊技機のスルーチャッカーにおいて、
　前記保持部材は、前記遊技盤の表面に締結部材により固定されるベース部と、前記ベース部の前面から突出し、かつ前記センサにおける遊技球通過用ゲートの周辺を包囲する包囲部と、前記ベース部の裏面から後方へ向けて突出し、前記センサの左右両側面を抱え込むように保持する左右の保持部を有し、
　前記左右いずれか一方の保持部は、左右方向へ弾性変形可能で、かつ後端に、前記センサの後端面の一部に係合し、前記センサの後方への抜け止めを行なう鈎部を有する弾性片部
と、前記弾性片部の上下にあって、前記弾性片部の左右方向への弾性変形を可能にするように後端が開口した前後方向の上下のスリットと、前記上スリットの上方にあって、前記センサの他側面側の上角を抱持する縦断面ほぼ倒立Ｌ字型の上片部と、前記下スリットの下方にあって、前記センサにおける他側面側の下角を抱持する縦断面ほぼＬ字型の下片部と
　前記左右いずれか他方の保持部は、前記センサにおける一側面側の上、下角部を抱持する縦断面ほぼコ字型をなすとともに、後端に前記センサの後端面の一部に係合する鈎部を有しない形状であって、かつ
後端
後方へ
　
前記弾性片部、前記上片部及び前記下片部の各後端は、前記センサの後端面よりも後方へ突出し、
前記弾性片部と前記上片部と前記下片部と前記他方の保持部とは、互いの後端同士が前後方向へほぼ揃う
　
　上記補正について検討する。
　本件補正後の特許請求の範囲の請求項１に記載された発明は、左右いずれか一方の保持部について、本件補正前に弾性片部を含むとあったものを、弾性片部を含むことに加えて「
前記弾性片部の上下にあって、前記弾性片部の左右方向への弾性変形を可能にするように後端が開口した前後方向の上下のスリットと、前記上スリットの上方にあって、前記センサの他側面側の上角を抱持する縦断面ほぼ倒立Ｌ字型の上片部と、前記下スリットの下方にあって、前記センサにおける他側面側の下角を抱持する縦断面ほぼＬ字型の下片部と
後端
後方へ
前記弾性片部、前記上片部及び前記下片部の各後端は、前記センサの後端面よりも後方へ突出し、前記弾性片部と前記上片部と前記下片部と前記他方の保持部とは、互いの後端同士が前後方向へほぼ揃う
　そこで、本件補正後の特許請求の範囲の請求項１に記載された発明（以下「本件補正発明」という。）が特許出願の際独立して特許を受けることができるものであるか（特許法第１７条の２第６項において準用する同法第１２６条第７項の規定に適合するか）否かについて検討する。
　
　２　刊行物に記載された発明
　（１）原査定の拒絶理由において提示された、本願の出願前に頒布された刊行物である特開２００４−２６７３６６号公報（以下「刊行物１」という。）には、図面と共に次の事項が記載されている（下線は審決で付与した。以下同じ。）。
　
　（１−ａ）「【発明の詳細な説明】
【０００１】
【発明の属する技術分野】
本発明は、パチンコ機の遊技盤に取り付けて使用するパチンコ機用電子部品に関する。
【０００２】
【従来の技術】
パチンコ機の遊技盤には遊技状態を検知したり、或いはそれに基づいて遊技状態を種々変化させることを目的として電子部品が取り付けられる。これら電子部品は電子部品本体、電子部品本体を保護するためのホルダ、接続用のハーネス（電子部品本体に固定されている）を主体として構成される。これら電子部品は遊技盤を前後に貫通して取り付けられるとともに、遊技盤の裏面側にハーネスが引き出されるようになっている（特許文献１）。
電子部品を備えた遊技盤の製造手順は一般的には、遊技盤をまず表向き（上向き）にして生産ライン上に流し、遊技盤の表面側から電子部品及び遊技球を案内する誘導釘等の組み付けが行なわれ、その後、ライン上において遊技盤を表裏反転させ、今度は、遊技盤の裏面側を表に向けた状態で電気系統の接続、すなわち引き出されたハーネスの接続作業等を行うことにより製造される。
このように、遊技盤は表面側、裏面側の双方において組み付け作業を行うから遊技盤を表裏逆にする工程が必要となる。
【０００３】
【特許文献１】
特開平１３−２６９４４７号公報
【０００４】
【発明が解決しようとする課題】
上記構造によると、電子部品本体のハーネスは遊技盤の裏面側に配されるが、何ら拘束手段を持たないため遊技盤を表裏反転させる作業の際に遊んでしまう。そのため、反転作業中（遊技盤の裏面側を表に向けた状態）には、その位置が定まらず、場合によっては隣接する遊技盤のハーネス同士が絡み合ったり、また、他の部品を組み付けるためのスペースに被ってしまい、そこから、ハーネスを避けるための作業を行っていた。以上のことからパチンコ機の製造効率の低下を招く要因の一つとなっていた。
そこで対策案として、予めハーネスを輪ゴム等で拘束しておき、接続作業を行う際に輪ゴムを取り外すといった措置が考えられるが、このような場合であっても、輪ゴムの取り外しに時間がかかってしまうし、取り外した輪ゴムが散乱し作業の邪魔となる。
本発明は上記のような事情に基づいて完成されたものであって、
ハーネスの拘束を行った上で、組み付け作業性に優れるパチンコ機用電子部品を提供する
　
　（１−ｂ）「【００２０】
【発明の実施の形態】
＜第１実施形態＞
本発明の第１実施形態を図１ないし図７によって説明する。
本実施形態は本発明に係るパチンコ機用電子部品を
パチンコ機用通過チャッカー２５
図１は遊技盤１０の正面図を示すものであって、遊技盤１０の表面１０Ａ側には普通入賞口１１、可変入賞装置１２、作動口１３、可変表示装置１５、内レール１６、外レール１７、誘導釘１８等が配設されている。ここで、内レール１６及び外レール１７は遊技球発射装置（図示せず）により発射された遊技球１９を遊技盤１０の上部に案内するためのガイド部材である。遊技球１９は遊技盤１０に上部に案内された後、遊技盤１０の面に沿って落下する。このとき、前記普通入賞口１１、作動口１３に遊技球１９が入賞することにより遊技者に対して所定数の景品球が払い出される。…
【００２４】
次に通過チャッカー２５について説明する。
図２、図３に示すように、
通過チャッカー２５は遊技球１９の通過の有無を検出する通過検出スイッチ２７
と
ホルダ３０と
構成されている
【００２５】
ホルダ３０は遊技盤１０の表面１０Ａ側に当接する座面部３５を有してなる
【００２６】
座面部３５の表面側
にはコの状に形成されたカバー部３１が一体に形成されている
カバー部３１は上下方向に貫通しており
一方、
座面部３５の裏面側には一対の支持アーム３６、３７が形成されている
両支持アーム３６、３７間の間隔は通過検出スイッチ２７とほぼ同幅に形成されている
支持アーム３６、３７及びカバー部３１は互いに連通するように形成されており
【００２７】
続いて、支持アーム３６、３７について説明すると、その基端側は上縁同士が保護壁４１によって架設されるとともに、
両支持アーム３６、３７の下縁には内向きに屈曲するガイド壁３８が形成されている
【００２８】
一方、通過検出スイッチ２７の長さ寸法は丁度ホルダ３０に収容される大きさに形成されている。すなわち、通過検出スイッチ２７がホルダ３０に組み付けられた状態（カバー部３１へ差し込まれた状態）において、通過検出スイッチ２７の後端部分と支持アーム３６、３７の後端部分とが整合するようになっており、更に、この組み付け状態において、通過検出スイッチ２７はホルダ３０の支持アーム３６（同図において右側の支持アーム）によって抜止めされるようになっている。より具体的に説明すると、
左側の支持アーム３７にはその全長に亘ってガイド壁３８が形成されている
右側の支持アーム３６は
ガイド壁３８が基端寄りの位置で途切れており
通過検出スイッチ２７の右端面２７Ｂに沿う縦壁部分のみが後方に延出している
この縦壁部分は弾性的に拡開可能とされ、その先端部分には内向きのロック爪３９が形成されている
…
【００３４】
次に、上記した通過チャッカー２５を遊技盤１０に対して取り付ける作業手順について図４ないし図７を参照して説明する。
まず、通過チャッカー２５自体の組み付けを行うには、
ロック爪３９が設けられた側の支持アーム３６
右側の支持アーム３６が
通過検出スイッチ２７の後端に係止し
ホルダ３０に対して通過検出スイッチ２７を抜止め状態に保持する
通過検出スイッチ２７の検知孔２８はカバー部３１の開口部分と整合する
…
【００３９】
従って、この状態から、通過検出スイッチ２７を遊技盤１０の表面１０Ａ側より取り付け孔１４に差込んでやれば、ハーネス４５は取り付け孔１４に干渉することなく差し込まれてゆく。そして、
ホルダ３０
が遊技盤１０の表面１０Ａ側に
ホルダ３０をねじ止めし
固定する
　
　（１−ｃ）「【００４２】
＜第２実施形態＞
次に、本発明の第２実施形態を図８ないし図１１を参照して説明する。
第１実施形態では、ハーネス４５を仮保持するための保持部（収容部）を、保護壁４１と通過検出スイッチ２７との隙間により設定したが、第２実施形態ではホルダ３０に壁体５０を設けるとともに、この壁体５０に対して直接収容部５１を形成している。その他の構成については第１実施形態と同様であるため、同一部品には同一の符号を付し重複した説明を省略するものとする。
【００４３】
図９、図１０において、壁体５０は通過検出スイッチ２７の上面２７Ａに沿って形成されるとともに、壁体５０の後端面（図９）、或いは壁体５０の左端面（図１０）にそれぞれ開口を設けて、ハーネス４５を遊技盤１０の奥行き方向（図９）、或いは遊技盤１０の左右方向（図１０）に仮保持するものである。
一方、図１１は、壁体５０を通過検出スイッチ２７にほぼ直交する向きに設定するとともに、壁体５０の上端面に開口を設けて、ハーネス４５を遊技盤１０の上下方向に沿う向きに仮保持するものである。
【００４４】
このように、ホルダ３０に対して壁体５０を設けるとともに、そこに収容部５１を形成する構成としておけば、ハーネス４５を遊技盤１０の奥行き方向のみならず、遊技盤１０の裏面１０Ｂに沿う方向、すなわち遊技盤１０の左右方向、遊技盤１０の上下方向に仮保持することが出来る。ハーネス４５をこのような形態に仮保持することによって、遊技盤１０に通過チャッカー２５を取り付けた際に、遊技盤１０の裏面側へ突き出るハーネス４５の突出量を少なく設定することが出来る。
また、図１０に示すように、座面部３５の裏面側であって通過検出スイッチ２７の側方には、取り付け座５４が設けられている。この取り付け座５４は、例えばＬＥＤ等を取り付けた回路基板（図示せず）を装着するためのものであるが、同図に示すように、ハーネス４５をこれら取り付け座５４に沿って引き出す形態としておけば、収容部５１からの引き出し量が大きい場合であってもハーネス４５の支持が安定する。」
　
　（１−ｄ）上記（１−ｃ）の記載事項及び【図１０】の図示内容から、
右側支持アーム３６の縦壁部分の後端は、通過検出スイッチ２７の基端面よりも裏側へ突出する
左側の支持アーム３７の後端が通過検出スイッチ２７の基端面よりも裏側へ突出する
　
　上記（１−ａ）〜（１−ｄ）の記載事項、上記（１−ｄ）の認定事項及び図面の図示内容を総合勘案すると、刊行物１には、次の発明（以下「刊行物１に記載された発明」という。）が記載されていると認められる。
　「遊技盤１０の表面１０Ａ側にねじ止めされるホルダ３０と、
　ホルダ３０に対して抜止め状態に保持され、遊技球１９の通過の有無を検出する通過検出スイッチ２７と
　から構成されるパチンコ機用通過チャッカー２５において、
　ホルダ３０は、
　　遊技盤１０の表面１０Ａ側にねじ止めにより固定される座面部３５と、
　　座面部３５の表面側に一体にコの状に形成され、通過検出スイッチ２７の検知孔２８と整合する、上下方向に貫通する開口部分を有するカバー部３１と、
　　座面部３５の裏面側に形成され、その間隔が通過検出スイッチ２７とほぼ同幅に形成され、通過検出スイッチ２７を抜止め状態に保持し、カバー部３１に互いに連通するように形成された、一対の右側支持アーム３６と左側支持アーム３７と
　を有し、
　右側支持アーム３６は、
　　通過検出スイッチ２７の右端面２７Ｂに沿い、下縁に内向きに屈曲するガイド壁３８が基端寄りの位置で途切れることにより後方に延出され、弾性的に拡開可能とされる縦壁部分と、
　　縦壁部分の先端部分に内向きに形成され、通過検出スイッチ２７の後端に係止し、ホルダ３０に対して通過検出スイッチ２７を抜止め状態に保持するロック爪３９と
　を有し、
　左側の支持アーム３７は、
　　下縁に内向きに屈曲するガイド壁３８が全長に亘って形成され、
　　その後端が通過検出スイッチ２７の基端面よりも裏側へ突出し、
　右側支持アーム３６の縦壁部分の後端は、通過検出スイッチ２７の基端面よりも裏側へ突出する
　パチンコ機用通過チャッカー２５。」
　
　（２）原査定の拒絶理由において提示された、本願の出願前に頒布された刊行物である実願平０４−０７２２２７号（実開平０６−０２６９６３号）のＣＤ−ＲＯＭ（以下「刊行物２」という。）には、図面と共に次の事項が記載されている。
　
　（２−ａ）「【０００１】
【産業上の利用分野】
　この考案はパチンコ機の遊技盤面に沿って転動するパチンコ球を検出する
パチンコ球検出器
【０００２】
　【従来の技術】
　従来の技術としては例えば実開平３−５２５４２号公報がある。
【０００３】
【考案が解決しようとする課題】
　本考案の課題は
組立てが容易でコンパクトなパチンコ球検出器を提供する
　
　（２−ｂ）「【０００７】
【実施例】
　次に、本考案の１実施例を図面にしたがって説明する。
　パチンコ機の遊技盤面Ｕに沿って転動するパチンコ球を検出するために遊技盤面Ｕに取付けられるパチンコ球検出器Ｋの器体１は着色された半透明の合成樹脂材によって一体成形されている。
【０００８】
　器体１の前部には１個のパチンコ球の通過が可能な間隙を隔てて並設されて遊技盤面Ｕの前方に設置される左右１対の前側壁部２が並行状に形成され、この両前側壁２の内壁面には
断面形状がほぼコ形状の前係合溝２ａ
【０００９】
　器体１の前端には左右端縁が両前側壁部２の前端縁にそれぞれ一体状に連接された前板部３が垂直状に形成されている。
【００１０】
　器体１の中央部付近には方形孔状の開口部４ａが左右方向中央部に開設されて左右開口縁が両前側壁部２の後端縁にそれぞれ一体状に連接された中板部４が垂直状に形成されている。
【００１１】
　中板部４は遊技盤面Ｕにビスによって密接状態で取付けられ、器体１の前部には両前側壁部２と前板部３と中板部４の開口部４ａとの間に開設され、パチンコ球が上方から下方へ通り抜ける球通路７が形成されている。
【００１２】
　中板部４の後面で開口部４ａの両側には微細な凹凸を有し、照射光を拡散させて透過させるレンズ面４ｂがそれぞれ形成されている。
【００１３】
　器体１の後部には前端縁が両前側壁部２の後端縁および、中板部４の開口部４ａの左右開口縁にそれぞれ一体状に連接されて後方へ延出された左右１対の後側壁部５が並行状に形成されている。
【００１４】
　両
後側壁部５の内壁面には両前側壁部２の前係合溝２ａにそれぞれ連通された後係合溝５ａが前後方向に沿ってそれぞれ凹設されるとともに、
後側壁部５の後部にはそれぞれ切欠き部５ｂがほぼコ形状に
形成されている
【００１５】
　
器体１の後端付近には前端縁が
後側壁部５の切欠き部５ｂの前切欠き縁に
一体状に連接されて後端部が
後側壁部５の後方へ
突出された状態で切欠き部５ｂに挿通された
係止爪６が
内外方向への弾性曲げ変形可能に形成されている
　
　（２−ｃ）「【００２７】
　続いて、上記した構成をもつ実施例の作用と効果を説明する。
　本例では遊技盤面Ｕに装着される器体１にはパチンコ球が通り抜ける球通路７を隔てて並設された左右１対の前側壁部２と、この両前側壁部２の前端に連接された前板部３と、両前側壁部２の後端に連接されて遊技盤面Ｕにビス着される中板部４と、両前側壁部２の後端にそれぞれ連接されて後方へ延出された左右１対の後側壁部５と、この両後側壁部５にそれぞれ連接された左右１対の弾性曲げ変形可能な係止爪６とを形成し、器体１内には球通路７を通り抜けるパチンコ球を検出する非接触型の
検出スイッチ１１を密嵌状
に嵌め込み
【００２８】
　このため、検出スイッチ１１を器体１内に装入してプリント基板８を器体１に結合するだけでパチンコ球検出器Ｋの組立てを完結することができ、パチンコ球検出器Ｋの組立て作業を簡易化することができるとともに、プリント基板８および検出スイッチ１１を器体１から容易に取外してパチンコ球検出器Ｋを分解することができるので、プリント基板８や検出スイッチ１１の交換作業を簡易化することができる。
　また、プリント基板８を活用して検出スイッチ１１を抜け止めしてあるので、検出スイッチ１１の取付け機構を簡略化して器体１の形状をシンプルでコンパクトな形状にすることができる。」
　
　上記（２−ａ）〜（２−ｃ）の記載事項及び図面の図示内容を総合勘案すると、刊行物２には、次の事項が記載されていると認められる。
　「検出スイッチ１１を密嵌状に嵌め込む器体１に設けられた後側壁部５の後部内壁面には、断面形状がほぼコ形状の後係合溝５ａが前後方向に沿って凹設されるとともに、切欠き部５ｂがほぼコ形状に形成され、
　器体１の後端付近には前端縁が後側壁部５の切欠き部５ｂの前切欠き縁に一体状に連接されて後端部が後側壁部５の後方へ突出された状態で切欠き部５ｂに挿通された係止爪６が内外方向への弾性曲げ変形可能に形成されている
　パチンコ球検出器。」
　
　３　対比
　刊行物１に記載された発明（以下「前者」という。）と本件補正発明（以下「後者」という。）とを対比する。
　前者における「遊技盤１０の表面１０Ａ側にねじ止めされるホルダ３０」は、その構成及び機能からみて、後者における「遊技球が打ち込まれる遊技盤の表面に取り付けられる保持部材」に相当し、以下同様に、
　
　前者における「ホルダ３０に対して抜止め状態に保持され、遊技球１９の通過の有無を検出する通過検出スイッチ２７」は、後者における「保持部材に保持されると共に、遊技盤に打ち込まれる遊技球の通過を検出するセンサ」に相当し、
　
　前者における「パチンコ機用通過チャッカー２５」は、後者における「弾球遊技機のスルーチャッカー」に相当し、
　
　前者における「遊技盤１０の表面１０Ａ側にねじ止めにより固定される座面部３５」は、後者における「遊技盤の表面に締結部材により固定されるベース部」に相当し、
　
　前者における「座面部３５の表面側に一体にコの状に形成され、通過検出スイッチ２７の検知孔２８と整合する、上下方向に貫通する開口部分を有するカバー部３１」は、後者における「ベース部の前面から突出し、かつセンサにおける遊技球通過用ゲートの周辺を包囲する包囲部」に相当し、
　
　前者における「座面部３５の裏面側に形成され、その間隔が通過検出スイッチ２７とほぼ同幅に形成され、通過検出スイッチ２７を抜止め状態に保持し、カバー部３１に互いに連通するように形成された、一対の右側支持アーム３６と左側支持アーム３７」は、一対の右側支持アーム３６と左側支持アーム３７との間隔を、通過検出スイッチ２７とほぼ同幅に形成することにより、両支持アームにより通過検出スイッチ２７の両側面を抱え込むようにして、抜止め状態に保持するものであるから、後者における「ベース部の裏面から後方へ向けて突出し、センサの左右両側面を抱え込むように保持する左右の保持部」に相当し、
　
　また、前者における「右側支持アーム３６は、」「弾性的に拡開可能とされる縦壁部分と、縦壁部分の先端部分に内向きに形成され、通過検出スイッチ２７の後端に係止し、ホルダ３０に対して通過検出スイッチ２７を抜止め状態に保持するロック爪３９とを有」することは、後者における「左右いずれか一方の保持部は、左右方向へ弾性変形可能で、かつ後端に、センサの後端面の一部に係合し、センサの後方への抜け止めを行なう鈎部を有する弾性片部」「を含」むことに相当する。
　
　そして、前者における「左側の支持アーム３７は、下縁に内向きに屈曲するガイド壁３８が全長に亘って形成され、その後端が通過検出スイッチ２７の基端面よりも裏側へ突出する」ことと、後者における「左右いずれか他方の保持部は、センサにおける一側面側の上、下角部を抱持する縦断面ほぼコ字型をなすとともに、後端にセンサの後端面の一部に係合する鈎部を有しない形状であって、かつ後端がコ字型のままセンサの後端面よりも後方へ突出」することとを対比する。
　前者における、ガイド壁３８は、通過検出スイッチ２７の下角部を抱持するものであることから、両者は、「左右いずれか他方の保持部は、センサにおける一側面側の下角部を抱持する型をなすとともに、後端にセンサの後端面の一部に係合する鈎部を有しない形状であって、かつ後端が前記型のままセンサの後端面よりも後方へ突出」することで共通する。
　
　また、前者における「右側支持アーム３６の縦壁部分の後端は、通過検出スイッチ２７の基端面よりも裏側へ突出」することと、後者における「弾性片部、上片部及び下片部の各後端は、センサの後端面よりも後方へ突出」することとは、「弾性片部の後端は、センサの後端面よりも後方へ突出」することで共通する。
　
　したがって、両者の一致点及び相違点は、次のとおりである。
［一致点］
　「遊技球が打ち込まれる遊技盤の表面に取り付けられる保持部材と、前記保持部材に保持されると共に、前記遊技盤に打ち込まれる遊技球の通過を検出するセンサとを備えた弾球遊技機のスルーチャッカーにおいて、
　前記保持部材は、前記遊技盤の表面に締結部材により固定されるベース部と、前記ベース部の前面から突出し、かつ前記センサにおける遊技球通過用ゲートの周辺を包囲する包囲部と、前記ベース部の裏面から後方へ向けて突出し、前記センサの左右両側面を抱え込むように保持する左右の保持部を有し、
　前記左右いずれか一方の保持部は、左右方向へ弾性変形可能で、かつ後端に、前記センサの後端面の一部に係合し、前記センサの後方への抜け止めを行なう鈎部を有する弾性片部を含み、
　前記左右いずれか他方の保持部は、前記センサにおける一側面側の下角部を抱持する型をなすとともに、後端に前記センサの後端面の一部に係合する鈎部を有しない形状であって、かつ後端が前記型のまま前記センサの後端面よりも後方へ突出し、
　前記弾性片部の後端は、前記センサの後端面よりも後方へ突出する、
　弾球遊技機のスルーチャッカー。」
　
［相違点１］
　弾性片部を含む左右いずれか一方の保持部が、本件補正発明では、弾性片部の上下にあって、弾性片部の左右方向への弾性変形を可能にするように後端が開口した前後方向の上下のスリットと、上スリットの上方にあって、センサの他側面側の上角を抱持する縦断面ほぼ倒立Ｌ字型の上片部と、下スリットの下方にあって、センサにおける他側面側の下角を抱持する縦断面ほぼＬ字型の下片部とを含むのに対して、刊行物１に記載された発明では、弾性片部が、「下縁に内向きに屈曲するガイド壁３８が基端寄りの位置で途切れることにより後方に延出され、弾性的に拡開可能とされ」るが、上下のスリットは有しない点。
　
［相違点２］
　左右いずれか他方の保持部の形状が、本件補正発明では、センサにおける一側面側の上、下角部を抱持する縦断面ほぼコ字型をなすのに対して、刊行物１に記載された発明では、下縁に内向きに屈曲するガイド壁３８が全長に亘って形成された点。
　
［相違点３］
　左右いずれか一方の保持部が、本件補正発明では、弾性片部、上片部及び下片部の各後端は、センサの後端面よりも後方へ突出するのに対して、刊行物１に記載された発明では、弾性片部の後端は、センサの後端面よりも後方へ突出する点
　
［相違点４］
　本件補正発明では、弾性片部と上片部と下片部と他方の保持部とは、互いの後端同士が前後方向へほぼ揃うのに対して、刊行物１に記載された発明では、当該発明特定事項を具備しない点。
　
　４　当審の判断
　（１）相違点１について
　刊行物２に記載された事項の「検出スイッチ１１」、「器体１」、「後側壁部５」、「係止爪６」、は、それぞれ、本件補正発明における「遊技球の通過を検出するセンサ」、「保持部材」、「一方の保持部」、「弾性片部」に相当する。
　
　そして、刊行物２に記載された事項の「係止爪６」は、「器体１の後端付近には前端縁が後側壁部５の切欠き部５ｂの前切欠き縁に一体状に連接されて後端部が後側壁部５の後方へ突出された状態で切欠き部５ｂに挿通された」ものである。そうすると、切欠き部５ｂに設けられた係止爪６の上下には、係止爪６の「内外方向への弾性曲げ変形可能に」する後端部が開口された、前後方向に沿った上下のスリット（本件補正発明の「弾性片部の上下にあって、弾性片部の左右方向への弾性変形を可能にするように後端が開口した前後方向の上下のスリット」に相当する。）が形成されるものと認められる。
　
　また、刊行物２に記載された事項の「後側壁部５の後部」に凹設された「断面形状がほぼコ形状の後係合溝５ａ」から「係止爪６」を除いた部分は、検出スイッチ１１を密嵌状に嵌め込むための断面形状がほぼ倒立Ｌ形状の上片部と下片部とから構成される（本件補正発明の「センサの他側面側の上角を抱持する縦断面ほぼ倒立Ｌ字型の上片部と、下スリットの下方にあって、センサにおける他側面側の下角を抱持する縦断面ほぼＬ字型の下片部とを含む」ことに相当する。）ものと認められる。
　
　したがって、刊行物２に記載された事項は、上記相違点１に係る本件補正発明が具備する発明特定事項ということができる。
　
　ところで、刊行物１に記載された発明と刊行物２に記載された事項とは、「弾球遊技機のスルーチャッカー」という同一の技術分野に属するものである。
　そして、刊行物１に記載された発明は、「ハーネスの拘束を行った上で、組み付け作業性に優れるパチンコ機用電子部品を提供する」(上記２（１）（１−ａ）を参照。)ことを解決するものであり、刊行物２に記載された事項は、「組立てが容易でコンパクトなパチンコ球検出器を提供する」（上記２（２）（２−ａ）を参照。）ことを解決するものであるから、両者は、組み立てを容易にするという共通の課題を解決するものである。
　
　よって、刊行物１に記載された発明における弾性片部を弾性的に拡開可能とするための構成に、刊行物２に記載された事項を適用して、上記相違点１に係る本件補正発明が具備する発明特定事項に到達することは、当業者が容易になし得たものである。
　
　（２）相違点２について
　弾球遊技機のスルーチャッカーの技術分野において、保持部材による、遊技球の通過を検出するセンサの保持力を高めるために、左右いずれか一方の保持部材の形状をセンサにおける一側面側の上、下角部を抱持する縦断面ほぼコ字型をなすようにすることは、例えば、原査定の拒絶理由において提示された、本願の出願前に頒布された刊行物である特開平７−５９９１６号公報の段落【００１３】〜【００１４】、【図４】〜【図５】に、レール状の嵌合溝３１が示され、前記刊行物２に、前側壁壁２及び後側壁部５の前部に前後方向に沿って凹設された、断面形状がほぼコ字状の係合溝２ａ（前記２（２）（２−ｂ）を参照。）が示されているように、本願出願前に周知の技術事項である。
　したがって、刊行物１に記載された発明の左右いずれか他方の保護部に上記周知の技術事項を適用して上記相違点２に係る本件補正発明が具備する発明特定事項に到達することは、当業者が容易になし得たものである。
　
　（３）相違点３及び４について
　刊行物１に記載された発明において、弾性片部の後端及び左右いずれか他方の保持部の後端は、それぞれ、遊技球の通過を検出するセンサの後端面よりも裏側へ突出して形成されたものである。
　そして、刊行物１に記載された発明において、弾性片部の後端及び左右いずれか他方の保持部の後端を、それぞれ、遊技球の通過を検出するセンサの後端面よりも後側へどの程度突出させるのかは、「ハーネスの拘束を行った上で、組み付け作業性に優れるパチンコ機用電子部品を提供する」という課題を解決するために、左右の保持部の成形性や強度、ハーネスの取り扱い等を考慮して当業者が適宜決定し得たものである。
　してみると、上記（１）において検討した、刊行物１に記載された発明に刊行物２に記載された事項を適用するに際して、弾性片部、上片部及び下片部の各後端を、センサの後端面よりも後方へ突出させるとともに、弾性片部と上片部と下片部と他方の保持部とを、互いの後端同士が前後方向へほぼ揃うようにすることは、当業者の設計的事項と認められる。
　
　（４）小括
　本件補正発明により奏される効果は、刊行物１に記載された発明、刊行物２に記載された事項、及び、周知の技術事項から当業者が予測できた効果の範囲内のものである。
　したがって、本件補正発明は、刊行物１に記載された発明、刊行物２に記載された事項、及び、周知の技術事項に基づいて当業者が容易に発明をすることができたものであるから、特許法第２９条第２項の規定により、特許出願の際独立して特許を受けることができないものである。
　
　５　まとめ
　以上のとおりであるから、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について
　１　本願発明
　平成２５年７月２６日付け手続補正は上記のとおり却下されたので、本願の請求項１に係る発明（以下「本願発明」という。）は、平成２４年１０月１８日付け手続補正書の特許請求の範囲の請求項１に記載された事項により特定される次のとおりのものである。
　「遊技球が打ち込まれる遊技盤の表面に取り付けられる保持部材と、前記保持部材に保持されると共に、前記遊技盤に打ち込まれる遊技球の通過を検出するセンサとを備えた弾球遊技機のスルーチャッカーにおいて、
　前記保持部材は、前記遊技盤の表面に締結部材により固定されるベース部と、前記ベース部の前面から突出し、かつ前記センサにおける遊技球通過用ゲートの周辺を包囲する包囲部と、前記ベース部の裏面から後方へ向けて突出し、前記センサの左右両側面を抱え込むように保持する左右の保持部を有し、
　前記左右いずれか一方の保持部は、左右方向へ弾性変形可能で、かつ後端に、前記センサの後端面の一部に係合し、前記センサの後方への抜け止めを行なう鈎部を有する弾性片部を含み、
　前記左右いずれか他方の保持部は、前記センサにおける一側面側の上、下角部を抱持する縦断面ほぼコ字型をなすとともに、後端に前記センサの後端面の一部に係合する鈎部を有しない形状であって、かつ後端部が前記コ字型のまま前記センサの後端面よりも突出することを特徴とする弾球遊技機のスルーチャッカー。」
　
　２　刊行物に記載された発明
　原査定の拒絶の理由において提示された刊行物１〜２、刊行物１〜２の記載事項及び刊行物１に記載された発明１及び刊行物２に記載された事項は、前記「第２［理由］２（１）」に記載したとおりである。
　
　３　対比
　刊行物１に記載された発明と本願発明とを対比する。
　本願発明は、前記「第２［理由］１　本件補正発明」において検討した本件補正発明における、左右いずれか一方の保持部について、「
前記弾性片部の上下にあって、前記弾性片部の左右方向への弾性変形を可能にするように後端が開口した前後方向の上下のスリットと、前記上スリットの上方にあって、前記センサの他側面側の上角を抱持する縦断面ほぼ倒立Ｌ字型の上片部と、前記下スリットの下方にあって、前記センサにおける他側面側の下角を抱持する縦断面ほぼＬ字型の下片部と
後端
後方へ
前記弾性片部、前記上片部及び前記下片部の各後端は、前記センサの後端面よりも後方へ突出し、前記弾性片部と前記上片部と前記下片部と前記他方の保持部とは、互いの後端同士が前後方向へほぼ揃う
　そうすると、実質的に本願発明の発明特定事項をすべて含み、さらに、他の発明特定事項を付加したものに相当する本件補正発明が、前記「第２［理由］３　対比、及び、４　当審の判断」に記載したとおり、刊行物１に記載された発明、刊行物２に記載された事項、及び、周知の技術事項に基づいて当業者が容易に発明をすることができたものであるから、本願発明も同様に、刊行物１に記載された発明、刊行物２に記載された事項、及び、周知の技術事項に基いて当業者が容易に発明をすることができたものである。
　
　４　むすび
　以上のとおりであるから、本願発明は、刊行物１に記載された発明、刊行物２に記載された事項、及び周知の技術事項に基づいて当業者が容易に発明をすることができたものであり、特許法第２９条第２項の規定により特許を受けることができない。
　
　よって、結論のとおり審決する。